(57)【要約】【課題】所定時例えばプラントの機器の異常発生時に、画面の自動表示を行うための画面表示用データの作成を容易に行うことができるプラント監視装置を得る。【解決手段】例えばプラントの例えば機器に異常が発生した時、表示制御手段２は画面表示用データ記憶手段１内で異常が発生した機器を含むデータファイルを検索し、該当データファイルがあれば画面表示手段３を起動し、該当する例えば甲データファイル１１の画面表示用データ（部品シンボルと系統図上の点番号と自動表示の可否（ＯＮ，ＯＦＦ））を用いて甲系統図Ｂを表示装置４に表示する。このとき、自動表示の可否データに従って当該部品シンボル、例えばモータを表示するかしないかが選択される。画面表示用データが自動表示の可否のデータを含むようにすることによって、異常発生時に自動表示すべき画面用の画面表示用データを作成でき、別途作成を要せず、作成が容易である。【選択図】図１
2007199842.tif 000002
【特許請求の範囲】
【請求項１】
複数の機器を有するプラントを監視するものであって、上記プラントの系統図を表示画面に表示するための画面表示用データを記憶する画面表示用データ記憶手段と、所定時に上記画面表示用データに基づいてかつ上記シンボルの表示の可否が否であるシンボルを表示しないようにして上記系統図を表示画面に表示する画面表示制御手段とを備え、上記画面表示用データは上記複数の機器のシンボルと上記シンボルの表示の可否とに関するデータを含むものであることを特徴とするプラント監視装置。
【請求項２】
上記画面表示制御手段は上記表示画面に上記系統図と上記シンボルの表示の可否とをあわせて表示しうるようにされたものであり、上記表示画面に表示された上記表示の可否を参照して上記シンボルの表示の可否を設定する表示設定手段と、上記表示設定手段により設定された上記シンボルの表示の可否を上記画面表示用データ記憶手段に記憶された上記画面表示用データに反映するデータ書込手段とを設けたものであることを特徴とする請求項１に記載のプラント監視装置。
【請求項３】
上記画面表示制御手段は、上記プラントの機器に異常が発生したときに上記画面表示用データに基づいてかつ上記機器に対応する上記シンボルの表示の可否が否であるシンボルを表示しないようにして上記系統図を上記表示画面に表示するものであることを特徴とする請求項１に記載のプラント監視装置。
【請求項４】
上記画面表示用データ記憶手段は上記プラントの系統図が複数あって上記複数の系統図を上記表示画面に表示するためのものであって上記複数の機器のシンボルと上記シンボルの表示の可否と上記シンボルを含む上記系統図の表示の優先度とに関するデータを含むものである上記画面表示用データを記憶するものであり、上記画面表示制御手段は上記系統図と上記シンボルの表示の可否と上記シンボルを含む上記系統図の表示の優先度とをあわせて上記表示画面に表示しうるようにされたものであり、上記表示設定手段は上記表示画面に表示された上記シンボルの表示の可否と上記シンボルを含む上記系統図の表示の優先度とを参照して上記シンボルの表示の可否と上記シンボルを含む上記系統図の表示の優先度とを設定するものであり、上記データ書込手段は上記表示設定手段により設定された上記シンボルの表示の可否と上記シンボルを含む上記系統図の表示の優先度とを上記画面表示用データ記憶手段に記憶された画面表示用データに反映するものであることを特徴とする請求項２に記載のプラント監視装置。
【請求項５】
上記画面表示制御手段は、上記シンボルに対応する上記プラントの機器に異常が発生したときに上記画面表示用データの上記シンボルと上記シンボルの表示の可否と上記シンボルを含む上記系統図の表示の優先度とに基づいてかつ上記機器に対応する上記シンボルの表示の可否が否であるシンボルを表示しないようにするとともに上記優先度が一番高いものを最優先にして上記系統図を上記表示画面に表示するものであることを特徴とする請求項４に記載のプラント監視装置。
【請求項６】
上記画面表示制御手段は、上記優先度が高いものを一番上にして上記優先度の順に上記プラントの複数の系統図の表示区域を所定寸法ずらして上記各表示区域の端部が見えるようにして重ねた状態で表示するものであることを特徴とする請求項５に記載のプラント監視装置。
【発明の詳細な説明】
【技術分野】
【０００１】
本発明は、プラント監視装置の改良に関する。
【背景技術】
【０００２】
従来のプラント監視装置として、異常発生時に予め登録されている種々の自動表示用の画面を適切に自動表示できるようにしたものがある。
【０００３】
【特許文献１】特開２００３−５０６３０号公報（段落番号００１５、００１６及び図２）
【発明の開示】
【発明が解決しようとする課題】
【０００４】
上述した従来のプラント監視装置においては、異常時に画面を自動表示するために予め画面表示用データを作成しておくことが必要であった。そして、画面表示用データの修正は画面上で修正可能であるが、初期値はオフラインで作成しておく必要があり、当該プラント監視装置のエンドユーザとの間で画面の自動表示用の項目数や内容などのデータを予め決めておく必要があった。このため、画面の自動表示のための画面表示用データの作成に時間を要していた。また、複数の異常が発生した場合の画面の自動表示の方法としては、異常発生順に前優先もしくは後優先のいずれかに対応した画面を自動表示するようにされており、画面の表示を優先順に設定することができなかった。
【０００５】
この発明は上記のような課題を解決するためになされたものであり、所定時に表示する画面のための画面表示用データを容易に作成でき、また複数の異常が発生したときに表示すべき画面の順序を優先順に設定することができるプラント監視装置を得ることを目的とする。
【課題を解決するための手段】
【０００６】
この発明に係るプラント監視装置においては、複数の機器を有するプラントを監視するものであって、プラントの系統図を表示画面に表示するための画面表示用データを記憶する画面表示用データ記憶手段と、所定時に画面表示用データに基づいてかつシンボルの表示の可否が否であるシンボルを表示しないようにして系統図を表示画面に表示する画面表示制御手段とを備え、画面表示用データは複数の機器のシンボルとシンボルの表示の可否とに関するデータを含むものである。
【発明の効果】
【０００７】
この発明に係るプラント監視装置は、複数の機器を有するプラントを監視するものであって、プラントの系統図を表示画面に表示するための画面表示用データを記憶する画面表示用データ記憶手段と、所定時に画面表示用データに基づいてかつシンボルの表示の可否が否であるシンボルを表示しないようにして系統図を表示画面に表示する画面表示制御手段とを備え、画面表示用データは複数の機器のシンボルとシンボルの表示の可否とに関するデータを含むものであるので、自動表示の可否のデータを含む画面表示用データを用いて画面を表示するようにしたことによって、所定時例えば異常発生時に表示すべき画面に関する画面表示用データを別途作成する必要がないので、容易に作成できる。
【発明を実施するための最良の形態】
【０００８】
実施の形態１．
図１、図２は、この発明を実施するための実施の形態１を示すものであり、図１はプラント監視装置の構成を示す構成図、図２は動作を示すフローチャートである。図１において、プラント監視装置は画面表示用データ記憶手段１と表示制御手段２と画面表示手段３と表示装置４を有する。画面表示用データ記憶手段１に、甲データファイル１１〜丙データファイル１３が収容されている。甲データファイル１１〜丙データファイル１３は、それぞれ部品シンボルと系統図上の点番号と自動表示の可否（ＯＮ／ＯＦＦ）との画面表示用データが収容されている。表示制御手段２は、画面表示用データ記憶手段１から画面表示用データを得て画面表示手段３を介して表示装置４に必要な画面を表示する。
【０００９】
次に、動作を図２のフローチャートにより説明する。プラントにおけるプロセス入力値例えば入力点Ｐ（１ＰＰＰＰ）における入力値が異常となり警報が出された場合、表示制御手段２は、表示装置４の表示画面の表示モードが通常表示モードかどうか判定し（ステップＳ１１）、通常表示モードで例えば監視画面Ａが表示されている場合は画面表示用データ記憶手段１内で、異常となった入力点の点番号を使用しているデータファイルを検索し（ステップＳ１２）、該当するデータファイルがあったかどうか判定する（ステップＳ１３）。なお、ステップＳ１１で画面の表示モードが通常表示モードでない場合例えば既に異常時対応モードになっている場合は、表示制御手段２はデータファイルを検索を行わずステップＳ１１へ戻る。
【００１０】
ステップＳ１３で異常となった点番号Ｐ（１ＰＰＰＰ）を使用しているデータファイルが見つかった場合（この場合甲データファイル１１が該当する）、表示制御手段２は画面表示手段３を起動し、甲データファイル１１の画面表示用データ（部品シンボルと系統図上の点番号と自動表示の可否）を用いて当該甲系統図Ｂを表示装置４の表示画面に表示する（ステップＳ１４）。
【００１１】
このとき、自動表示の可否（ＯＮ／ＯＦＦ）のデータに従って当該部品シンボルを表示するかしないかが選択されることになり、甲データファイル１１の部品番号１のポンプに関する可否のデータは「ＯＮ」となっているので、ポンプ１が甲系統図に表示される。このように、自動表示の可否のデータを含む画面表示用データを用いて画面を表示するようにしたことによって、所定時例えば異常発生時に表示すべき画面に関する画面表示用データを別途作成する必要がないので、容易に作成できる。
【００１２】
なお、この実施の形態ではプラントに異常が発生したときに所定の画面例えば系統図を自動的に表示するものを示したが、異常発生時以外の所定時例えば画面表示用データを定期的に確認する時などに所定の画面を自動的に表示するものであっても同様の効果を奏する。
【００１３】
実施の形態２．
図３、図４は、この発明の実施の形態２を示すものであり、図３はプラント監視装置の構成を示す構成図、図４は動作を示すフローチャートである。図３において、プラント監視装置は表示制御手段１０２と画面表示手段１０３と自動表示設定及びデータ書込手段１０５を有する。なお、表示制御手段１０２と画面表示手段１０３とが、この発明における画面表示制御手段である。その他の構成については、図１に示した実施の形態１と同様のものであるので、相当するものに同じ符号を付して説明を省略する。
【００１４】
次に、動作について図４のフローチャートにより説明する。ここでは、実施の形態１と異なる部分である画面表示用データ記憶手段１に記憶される画面表示用データの作成あるいは変更について説明する。図示しないメニュー選択画面において「自動表示設定」を選択することにより（ステップＳ２１）、表示制御手段１０２及び画面表示手段１０３により表示装置４の表示が通常の監視画面Ａから乙系統図Ｃ１が表示された画面Ｃに切り替る（ステップＳ２２）。表示された乙系統図Ｃ１上のポンプ、ファン、モータなどのプラントを構成する機器のシンボルの中から対象とするシンボルをマウスでクリックすることによって（ステップＳ２３）、自動表示設定画面Ｃ２が表示される（ステップＳ２４）。そして、画面Ｃ内に乙系統図Ｃ１と自動表示設定画面Ｃ２とが、ともに表示された状態になる。
【００１５】
次に、シンボルの自動表示の可否すなわちシンボルに該当する機器等に異常が発生したときに系統図上に当該シンボルの自動表示を行うか否かの設定や変更を行う。自動表示設定及びデータ書込手段１０５により自動表示設定画面Ｃ１上の設定窓「ＯＮ」がクリックされたかどうかを判定し（ステップＳ２５）、クリックされればステップＳ２７へ行く。ステップＳ２５で、設定窓「ＯＮ」がクリックされなければ自動表示設定画面Ｃ１上の設定窓「ＯＦＦ」がクリックされたかどうかを判定する（ステップＳ２６）。ステップＳ２６で、設定窓「ＯＦＦ」がクリックされれば自動表示設定画面Ｃ１上の設定窓「登録」がクリックされたかどうか判定する（ステップＳ２７）。ステップＳ２６で、設定窓「ＯＦＦ」がクリックされなければステップＳ２５へ戻り、ステップＳ２５以下の動作を繰り返す。
【００１６】
ステップＳ２７で設定窓「登録」がクリックされれば、自動表示設定及びデータ書込手段１０５は、自動表示設定画面Ｃ２において選択された結果を反映するために画面表示用データ記憶手段１に記憶された画面表示用データに上書きする（ステップＳ２８）。このようにして所定時に自動で表示する画面に所定のシンボルを表示するかどうかのシンボルの表示の可否を、自動表示設定画面Ｃ２上の設定窓「ＯＮ」、「ＯＦＦ」をクリックすることにより新規に設定したり、変更したりすることができる。
【００１７】
以上のように、この実施の形態によれば表示装置４の表示画面に表示された画面Ｃ上において異常発生時等の所定時に表示すべき画面を表示するための画面表示データのなかのシンボルの表示の可否の設定や変更をプラントの系統図を参照しながら容易に行うことができる。
【００１８】
実施の形態３．
図５、図６は、この発明の実施の形態３を示すものであり、図５はプラント監視装置の構成を示す構成図、図６は動作を示すフローチャートである。図５において、プラント監視装置は画面表示用データ記憶手段２０１、表示制御手段２０２と画面表示手段２０３と自動表示設定及びデータ書込手段２０５を有する。画面表示用データ記憶手段２０１には、画面表示用データとしての甲データ付加ファイル２０１〜丙データファイル２１３が記憶されている。なお、表示制御手段２０２と画面表示手段２０３とが、この発明における画面表示制御手段である。その他の構成については、図２に示した実施の形態２と同様のものであるので、相当するものに同じ符号を付して説明を省略する。
【００１９】
次に、動作について図６のフローチャートにより説明する。甲データ付加ファイル２０１〜丙データファイル２１３は、甲データファイル１１〜丙データファイル１３に優先度のデータの項目を追加したものである。これによって、複数の自動表示要因がほぼ同時に発生したときに優先度に従って表示すべき画面が用意される。画面表示用データすなわち甲データ付加ファイル２０１〜丙データファイル２１３を作成あるいは変更するときに、図示しないメニュー選択画面において「自動表示設定」を選択することにより（ステップＳ３１）、表示制御手段２０２及び画面表示手段２０３により表示装置４の表示が通常の監視画面Ａから乙系統図Ｃ１が表示された画面Ｅに切り替る（ステップＳ３２）。
【００２０】
表示された乙系統図Ｃ１上のポンプ、ファン、モータなどのプラントを構成する機器のシンボルの中から対象とするシンボルをマウスでクリックすることによって（ステップＳ３３）、自動表示設定画面Ｅ１が表示される（ステップＳ３４）。そして、画面Ｅ内に乙系統図Ｃ１と自動表示設定画面Ｅ１とが、ともに表示された状態になる。
【００２１】
次に、自動表示設定及びデータ書込手段２０５により、シンボルに該当する機器等に異常が発生したときに系統図上に当該シンボルの自動表示を行うか否かを設定する。自動表示設定画面Ｅ１上の設定窓で「ＯＮ」がクリックされたかどうかを判定し（ステップＳ３５）、クリックされればステップＳ３７へ行く。ステップＳ３５で、「ＯＮ」がクリックされなければ自動表示設定画面Ｅ１上の設定窓で「ＯＦＦ」がクリックされたかどうかを判定する（ステップＳ３６）。
【００２２】
ステップＳ３６で、設定窓で「ＯＦＦ」がクリックされれば、優先度を設定する（ステップＳ３７）。優先度は、対象とするシンボルに該当する機器等に異常が発生したときに、対象とするシンボルを含む系統図を表示する画面の優先度（例えば優先度の高い順に１，２，３，・・・）を「優先度」ボタンにより設定する。ステップＳ３６で、設定窓で「ＯＦＦ」がクリックされなければステップＳ３５へ戻り、ステップＳ３５以下の動作を繰り返す。
【００２３】
ステップＳ３７で優先度の設定後、自動表示設定画面Ｅ１上の設定窓で「登録」がクリックされたかどうか判定し（ステップＳ３８）、「登録」がクリックされれば、自動表示設定及びデータ書込手段２０５は、自動表示設定画面Ｅ１において設定された結果を反映するために画面表示用データ記憶手段１に記憶された画面表示用データに上書きする。ステップＳ３８で、「登録」がクリックされなければクリックされるまで待つ。
【００２４】
ステップＳ３７で設定窓で「登録」がクリックされれば、自動表示設定及びデータ書込手段２０５は、自動表示設定画面Ｃ２において選択された結果を反映するために画面表示用データ記憶手段１に記憶された画面表示用データに上書きする（ステップＳ３８）。
【００２５】
これにより、所定の画面を自動で表示すべき要因が発生したときに例えば複数の機器にほぼ同時に障害等が発生したときに、表示制御手段２０２が障害が発生したシンボルに付された優先度に従って表示すべき画面の表示順位を決定し、画面表示手段２０３を介して表示装置４に表示するようにできる。この場合、複数の自動で表示すべき画面Ｆ１〜Ｆｎがあることをユーザが認識できるようにするために、複数の画面Ｆ１〜Ｆｎを若干ずらしてすべての画面の左端の端部が見えるようにして重ねた状態で、優先度の最も高いものを一番前面にして優先度の高い順に重ねて、自動表示蓄積画面Ｆとして表示する。なお、自動表示蓄積画面Ｆの画面Ｆ１〜Ｆｎのなかから表示したい画面の端部をクリックして選択することによって、選択した画面を最前面に表示することができる。
【００２６】
この実施の形態によれば、表示装置４の表示画面に表示された画面Ｅ上において異常発生時等の所定時に表示すべき画面を表示するための画面表示データのなかのシンボルの表示の可否の設定や変更、優先度の設定や変更をプラントの系統図を参照しながら容易に行うことができる。所定時、例えば複数の機器が同時に故障するなど複数の画面を自動表示しなければならない要因が発生した場合に、一番優先度の高いものを最前面に表示できるので状況を迅速に把握できる。また、表示すべき複数の画面は優先度の順に若干ずらしてすべての画面の端部が見えるようにして重ねられているので表示したい画面の選択が容易である。
【００２７】
以上のように、この発明に係るプラント監視装置は、複数の機器を有するプラントを監視するものであって、プラントの系統図を表示画面に表示するための画面表示用データを記憶する画面表示用データ記憶手段と、所定時に画面表示用データに基づいてかつシンボルの表示の可否が否であるシンボルを表示しないようにして系統図を表示画面に表示する画面表示制御手段とを備え、画面表示用データは複数の機器のシンボルとシンボルの表示の可否とに関するデータを含むものであるので、自動表示の可否のデータを含む画面表示用データを用いて画面を表示するようにしたことによって、所定時例えば異常発生時に表示すべき画面に関する画面表示用データを別途作成する必要がないので、容易に作成できる。
【００２８】
そして、画面表示制御手段は表示画面に系統図とシンボルの表示の可否とをあわせて表示しうるようにされたものであり、表示画面に表示された表示の可否を参照してシンボルの表示の可否を設定する表示設定手段と、表示設定手段により設定されたシンボルの表示の可否を画面表示用データ記憶手段に記憶された画面表示用データに反映するデータ書込手段とを設けたものであることを特徴とするので、所定時に表示すべき画面を表示するための画面表示データのシンボルの表示の可否の設定や変更をプラントの系統図を参照しながら容易に行うことができる。
【００２９】
さらに、画面表示制御手段は、プラントの機器に異常が発生したときに画面表示用データに基づいてかつ機器に対応するシンボルの表示の可否が否であるシンボルを表示しないようにして系統図を表示画面に表示するものであることを特徴とするので、異常発生時に表示すべき画面を表示するための画面表示データのなかのシンボルの表示の可否の設定や変更をプラントの系統図を参照しながら容易に行うことができる。
【００３０】
また、画面表示用データ記憶手段はプラントの系統図が複数あって複数の系統図を表示画面に表示するためのものであって複数の機器のシンボルとシンボルの表示の可否とシンボルを含む系統図の表示の優先度とに関するデータを含むものである画面表示用データを記憶するものであり、画面表示制御手段は系統図とシンボルの表示の可否とシンボルを含む系統図の表示の優先度とをあわせて表示画面に表示しうるようにされたものであり、表示設定手段は表示画面に表示されたシンボルの表示の可否とシンボルを含む系統図の表示の優先度とを参照してシンボルの表示の可否とシンボルを含む系統図の表示の優先度とを設定するものであり、データ書込手段は表示設定手段により設定されたシンボルの表示の可否とシンボルを含む系統図の表示の優先度とを画面表示用データ記憶手段に記憶された画面表示用データに反映するものであることを特徴とするので、所定時に表示すべき画面を表示するための画面表示データのシンボルの表示の可否及び優先度の設定や変更をプラントの系統図を参照しながら容易に行うことができる。
【００３１】
そして、画面表示制御手段は、シンボルに対応するプラントの機器に異常が発生したときに画面表示用データのシンボルとシンボルの表示の可否とシンボルを含む系統図の表示の優先度とに基づいてかつ機器に対応するシンボルの表示の可否が否であるシンボルを表示しないようにするとともに優先度が一番高いものを最優先にして系統図を表示画面に表示するものであることを特徴とするので、複数の機器が同時に故障するなど複数の画面を自動表示しなければならない要因が発生した場合に、一番優先度の高いものを最前面に表示できるので状況を迅速に把握できる。
【００３２】
さらに、画面表示制御手段は、優先度が高いものを一番上にして優先度の順にプラントの複数の系統図の表示区域を所定寸法ずらして各表示区域の端部が見えるようにして重ねた状態で表示するものであることを特徴とするので、表示したい画面の選択が容易である。
【図面の簡単な説明】
【００３３】
【図１】この発明の実施の形態１であるプラント監視装置を示す構成図である。
【図２】図１のプラント監視装置の動作を示すフローチャートである。
【図３】この発明の実施の形態２であるプラント監視装置を示す構成図である。
【図４】図３のプラント監視装置の動作を示すフローチャートである。
【図５】この発明の実施の形態３であるプラント監視装置を示す構成図である。
【図６】図５のプラント監視装置の動作を示すフローチャートである。
【符号の説明】
【００３４】
１，２０１  画面表示用データ記憶手段、１１  甲データファイル、
１３  丙データファイル、２，１０２，２０２  表示制御手段、
３，１０３，２０３  画面表示手段、４  表示装置、
１０５，２０５  自動表示設定及びデータ書込手段、
２１１  甲データ付加ファイル、２１３  丙データ付加ファイル。
【図１】
2007199842.tif 000003
【図２】
2007199842.tif 000004
【図３】
2007199842.tif 000005
【図４】
2007199842.tif 000006
【図５】
2007199842.tif 000007
【図６】
2007199842.tif 000008